(57)【要約】【課題】複数のサーバから構成されるシステムでの待機電力が低減される電源装置、及び電源供給システムを提供する。【解決手段】ＡＣ／ＤＣ変換部１２から出力される直流電源ｄａ（ＤＣ５Ｖ）が制御部１３に供給され、同直流電源ｄａが供給され始めてから所定の遅延時間経過後に、電源装置２０から直流電源ｄｂが外部電源線１４を経て供給されているか否かが確認され、供給されていない場合に直流電源ｄａが外部電源線１４を経て電源装置２０に出力される一方、供給されている場合にスイッチ部１１にオフ制御信号ｆｃが与えられると共に直流電源ｄｂが供給される。また、制御部１３では、直流電源ｄｂが供給されていない場合に直流電源ｄａが直流電源ｄｓとして電子装置（たとえば、サーバ３０）に供給される一方、供給されている場合に直流電源ｄｂが直流電源ｄｓとしてサーバ３０に供給される。【選択図】図２
2010176390.tif 000002
【特許請求の範囲】
【請求項１】
非制御時にオン状態となる一方、オフ制御信号が与えられたときにオフ状態となるスイッチ手段と、
該スイッチ手段がオン状態のとき、所定の交流電源を所定電圧の第１の直流電源に変換する交流／直流変換手段と、
外部電源線と、
前記交流／直流変換手段から出力される前記第１の直流電源が供給されて動作し、該第１の直流電源が供給され始めてから所定の遅延時間経過後に、前記第１の直流電源と同一電圧の第２の直流電源が前記外部電源線を経て供給されているか否かを確認し、供給されていない場合に前記第１の直流電源を前記外部電源線を経て外部に出力する一方、供給されている場合に前記スイッチ手段に前記オフ制御信号を与えると共に前記第２の直流電源が供給されて動作する制御手段とを備えてなることを特徴とする電源装置。
【請求項２】
前記制御手段は、
前記第２の直流電源が供給されていない場合に前記第１の直流電源を所定の電子装置に供給する一方、供給されている場合に前記第２の直流電源を前記電子装置に供給する構成とされていることを特徴とする請求項１記載の電源装置。
【請求項３】
前記交流／直流変換手段は、
前記電子装置の要求に対応して所定電圧の第３の直流電源を出力する構成とされ、
前記制御手段は、
前記電子装置から前記第３の直流電源を供給する要求があったとき、前記スイッチ手段に前記オフ制御信号を与えていた場合は、該オフ制御信号を解除して前記第３の直流電源及び前記第１の直流電源を供給すると共に、前記第２の直流電源の供給を遮断する構成とされていることを特徴とする請求項２記載の電源装置。
【請求項４】
前記電子装置は、
待機状態で前記第１の直流電源又は前記第２の直流電源が供給されて待機電力を消費する構成とされていることを特徴とする請求項２又は３記載の電源装置。
【請求項５】
当該電源装置は、
複数の前記電子装置からなるシステムの前記各電子装置毎に設けられ、かつ、前記外部電源線を介して相互に接続されていることを特徴とする請求項２、３又は４記載の電源装置。
【請求項６】
複数の電子装置からなるシステムに対して、前記各電子装置毎に所定の電源を供給する複数の電源装置を有する電源供給システムであって、
前記各電源装置は、
非制御時にオン状態となる一方、オフ制御信号が与えられたときにオフ状態となるスイッチ手段と、
該スイッチ手段がオン状態のとき、所定の交流電源を所定電圧の第１の直流電源に変換する交流／直流変換手段と、
外部電源線と、
前記交流／直流変換手段から出力される前記第１の直流電源が供給されて動作し、該第１の直流電源が供給され始めてから所定の遅延時間経過後に、当該電源装置以外の他の１つの電源装置から前記第１の直流電源と同一電圧の第２の直流電源が前記外部電源線を経て供給されているか否かを確認し、供給されていない場合に前記第１の直流電源を前記外部電源線を経て前記他の１つの電源装置に出力する一方、供給されている場合に前記スイッチ手段に前記オフ制御信号を与えると共に前記第２の直流電源が供給されて動作する制御手段とを備え、
前記遅延時間は、
前記各電源装置毎に異なる時間に設定されていることを特徴とする電源供給システム。
【請求項７】
前記各制御手段は、
前記第２の直流電源が供給されていない場合に前記第１の直流電源を該当の前記電子装置に供給する一方、供給されている場合に前記第２の直流電源を前記電子装置に供給する構成とされていることを特徴とする請求項６記載の電源供給システム。
【請求項８】
前記各交流／直流変換手段は、
前記電子装置の要求に対応して所定電圧の第３の直流電源を出力する構成とされ、
前記制御手段は、
前記電子装置から前記第３の直流電源を供給する要求があったとき、前記スイッチ手段に前記オフ制御信号を与えていた場合は、該オフ制御信号を解除して前記第３の直流電源及び前記第１の直流電源を供給すると共に、前記第２の直流電源の供給を遮断する構成とされていることを特徴とする請求項７記載の電源供給システム。
【請求項９】
前記各電子装置は、
待機状態で前記第１の直流電源又は前記第２の直流電源が供給されて待機電力を消費する構成とされていることを特徴とする請求項７又は８記載の電源供給システム。
【請求項１０】
複数の電子装置からなるシステムに対して、前記各電子装置毎に所定の電源を供給する複数の電源装置を有する電源供給システムに用いられる電源供給方法であって、
前記各電源装置に、非制御時にオン状態となる一方、オフ制御信号が与えられたときにオフ状態となるスイッチ手段と、該スイッチ手段がオン状態のとき、所定の交流電源を所定電圧の第１の直流電源に変換する交流／直流変換手段と、外部電源線と、制御手段とを設けておき、
該制御手段が、前記交流／直流変換手段から出力される前記第１の直流電源が供給されて動作し、該第１の直流電源が供給され始めてから所定の遅延時間経過後に、当該電源装置以外の他の１つの電源装置から前記第１の直流電源と同一電圧の第２の直流電源が前記外部電源線を経て供給されているか否かを確認し、供給されていない場合に前記第１の直流電源を前記外部電源線を経て前記他の１つの電源装置に出力する一方、供給されている場合に前記スイッチ手段に前記オフ制御信号を与えると共に前記第２の直流電源が供給されて動作し、かつ、前記遅延時間を、前記各電源装置毎に異なる時間に設定しておくことを特徴とする電源供給方法。
【請求項１１】
前記各制御手段が、前記第２の直流電源が供給されていない場合に前記第１の直流電源を該当の前記電子装置に供給する一方、供給されている場合に前記第２の直流電源を前記電子装置に供給することを特徴とする請求項１０記載の電源供給方法。
【請求項１２】
前記各交流／直流変換手段が、前記電子装置の要求に対応して所定電圧の第３の直流電源を出力する構成とされ、前記制御手段が、前記電子装置から前記第３の直流電源を供給する要求があったとき、前記スイッチ手段に前記オフ制御信号を与えていた場合は、該オフ制御信号を解除して前記第３の直流電源及び前記第１の直流電源を供給すると共に、前記第２の直流電源の供給を遮断することを特徴とする請求項１１記載の電源供給方法。
【請求項１３】
コンピュータに請求項１乃至５のいずれか一に記載の電源装置又は請求項６乃至９のいずれか一に記載の電源供給システムを制御させるための電源供給制御プログラム。
【発明の詳細な説明】
【技術分野】
【０００１】
この発明は、電源装置、電源供給システム、該システムに用いられる電源供給方法及び電源供給制御プログラムに係り、特に、待機状態で電力を消費するサーバなどのような装置が複数設けられているシステムに電源を供給する場合に用いて好適な電源装置、電源供給システム、該システムに用いられる電源供給方法及び電源供給制御プログラムに関する。
【背景技術】
【０００２】
サーバが複数設けられて構成されているサーバシステムでは、ＷＯＬ（Wake On LAN ）やＢＭＣ（Baseboard Management Controller ）に対応して動作するため、停止している状態でも待機電力が消費される。また、サーバシステムの電源装置は、サーバが最大に構成された状態で最大消費電力を供給可能な容量（たとえば、１０００ｗ）のものが搭載される必要がある。ところが、サーバシステムでは、サーバが最大に構成されて最大消費電力が供給される状態で使用されることは少なく、また、電力消費が最大の負荷状態で動作する時間は同サーバシステムの稼動時間の一部のみであるため、搭載される電源装置は、通常、同電源装置が供給可能な最大電力の５０％付近で使用する場合に電源効率が最大となるように構成されている。たとえば、図４に示すように、電源装置の負荷が低い領域（２０％以下）では、電源効率が低い。すなわち、電源装置で多くの電力の損失が発生している。
【０００３】
上記のように、サーバシステムは、停止時も待機電力のために電力を消費しているが、その電力は、せいぜい数ワット〜数十Ｗ程度である。これは、たとえば１０００ｗの電源装置を搭載したサーバシステムにおいて１０％以下の負荷で電源装置が動作している状態であり、電源効率が非常に低く、多くの電力損失が発生する。近年、仮想化技術により複数のサーバのリソース（resource）を有効活用し、複数のサーバに分散する負荷を一部のサーバに集約し、負荷の状況に応じて動作させるサーバの数を変化させることで省電力化を実現するシステムが注目されている。このようなシステムにおいてシステムの負荷が低い場合、多くのサーバが停止されることになる。この場合、上記のように、サーバの停止時には多くの電力損失が発生することになるため、多くのサーバにより構成されるシステムで多くのサーバが停止されることは、非常に大きな電力損失が発生するという問題がある。このため、電力損失が低減される技術が要求されている。
【０００４】
この種の関連する技術としては、たとえば、特許文献１に記載された電源制御システムがある。
この電源制御システムでは、待機時に駆動する必要のある回路については、二次電池が電源回路の代わりに電圧を供給することにより、必要な駆動電圧が供給される。電圧検知回路は、二次電池の電圧レベルをモニタし、所定電圧以下となった場合、検知信号をサブマイコンへ出力する。サブマイコンは、検知信号に応答してスイッチに対して制御信号を出力する。スイッチが制御信号に応答して導通することにより、二次電池からリレーのコイルに電流が供給され、商用電源と電源回路とが電気的に接続される。
【０００５】
また、特許文献２に記載されたデータ通信システムでは、電源供給装置から電源受給装置に電源電力が供給される。電源受給装置では、供給された電源電力により同電源受給装置内の構成情報が取得され、取得された構成情報が電源供給装置に送信される。電源供給装置では、電源受給装置の構成情報が受信されて記憶され、記憶された電源受給装置の構成情報に応じた起動準備が行われる。また、電源受給装置のパワーマネジメント部では、パワー検知部からの制御信号により外部電源部から電力供給がある場合、同外部電源部からの電力供給に切り替える一方、外部電源部から電力供給がない場合、電源受給部からの電力供給に切り替える。
【先行技術文献】
【特許文献】
【０００６】
【特許文献１】特開２００８−１６７６２９号公報（要約書、図１）
【特許文献２】特開２００２−３５１５８２号公報（要約書、第４頁、図１、図２）
【発明の開示】
【発明が解決しようとする課題】
【０００７】
しかしながら、上記各文献に記載の技術では、次のような問題点があった。
すなわち、特許文献１に記載された電源制御システムでは、電源回路に代えて、二次電池により電圧が供給されるが、二次電池から供給できる電源容量には限度があるため、長時間停止される可能性があるシステムでは使用できないという問題点がある。また、二次電池を搭載すると、装置の体積及び重量が増加するという問題点もある。
【０００８】
また、特許文献２に記載されたデータ通信システムでは、外部電源部から電力供給がある場合、同外部電源部からの電力供給に切り替えられるが、待機電力を低減するものではなく、この発明とは構成が異なる。
【０００９】
この発明は、上述の事情に鑑みてなされたもので、複数のサーバなどから構成されるシステムでの待機電力が低減される電源装置、電源供給システム、該システムに用いられる電源供給方法及び電源供給制御プログラムを提供することを目的としている。
【課題を解決するための手段】
【００１０】
上記課題を解決するために、この発明の第１の構成は、電源装置に係り、非制御時にオン状態となる一方、オフ制御信号が与えられたときにオフ状態となるスイッチ手段と、該スイッチ手段がオン状態のとき、所定の交流電源を所定電圧の第１の直流電源に変換する交流／直流変換手段と、外部電源線と、前記交流／直流変換手段から出力される前記第１の直流電源が供給されて動作し、該第１の直流電源が供給され始めてから所定の遅延時間経過後に、前記第１の直流電源と同一電圧の第２の直流電源が前記外部電源線を経て供給されているか否かを確認し、供給されていない場合に前記第１の直流電源を前記外部電源線を経て外部に出力する一方、供給されている場合に前記スイッチ手段に前記オフ制御信号を与えると共に前記第２の直流電源が供給されて動作する制御手段とを備えてなることを特徴としている。
【００１１】
この発明の第２の構成は、複数の電子装置からなるシステムに対して、前記各電子装置毎に所定の電源を供給する複数の電源装置を有する電源供給システムに係り、前記各電源装置は、非制御時にオン状態となる一方、オフ制御信号が与えられたときにオフ状態となるスイッチ手段と、該スイッチ手段がオン状態のとき、所定の交流電源を所定電圧の第１の直流電源に変換する交流／直流変換手段と、外部電源線と、前記交流／直流変換手段から出力される前記第１の直流電源が供給されて動作し、該第１の直流電源が供給され始めてから所定の遅延時間経過後に、当該電源装置以外の他の１つの電源装置から前記第１の直流電源と同一電圧の第２の直流電源が前記外部電源線を経て供給されているか否かを確認し、供給されていない場合に前記第１の直流電源を前記外部電源線を経て前記他の１つの電源装置に出力する一方、供給されている場合に前記スイッチ手段に前記オフ制御信号を与えると共に前記第２の直流電源が供給されて動作する制御手段とを備え、前記遅延時間は、前記各電源装置毎に異なる時間に設定されていることを特徴としている。
【００１２】
この発明の第３の構成は、複数の電子装置からなるシステムに対して、前記各電子装置毎に所定の電源を供給する複数の電源装置を有する電源供給システムに用いられる電源供給方法に係り、前記各電源装置に、非制御時にオン状態となる一方、オフ制御信号が与えられたときにオフ状態となるスイッチ手段と、該スイッチ手段がオン状態のとき、所定の交流電源を所定電圧の第１の直流電源に変換する交流／直流変換手段と、外部電源線と、制御手段とを設けておき、該制御手段が、前記交流／直流変換手段から出力される前記第１の直流電源が供給されて動作し、該第１の直流電源が供給され始めてから所定の遅延時間経過後に、当該電源装置以外の他の１つの電源装置から前記第１の直流電源と同一電圧の第２の直流電源が前記外部電源線を経て供給されているか否かを確認し、供給されていない場合に前記第１の直流電源を前記外部電源線を経て前記他の１つの電源装置に出力する一方、供給されている場合に前記スイッチ手段に前記オフ制御信号を与えると共に前記第２の直流電源が供給されて動作し、かつ、前記遅延時間を、前記各電源装置毎に異なる時間に設定しておくことを特徴としている。
【発明の効果】
【００１３】
この発明の構成によれば、効率の低い低負荷が回避されて電源の効率を改善でき、待機時の電力の損失を低減することができる。
【図面の簡単な説明】
【００１４】
【図１】この発明の一実施形態である電源装置の要部の電気的構成を示すブロック図である。
【図２】図１の電源装置を有する電源供給システムの要部の電気的構成を示すブロック図である。
【図３】図１の電源装置の動作を説明するフローチャートである。
【図４】サーバで一般的に使用される電源の負荷と電源効率の関係の例を示す図である。
【発明を実施するための最良の形態】
【００１５】
上記制御手段が、上記第２の直流電源が供給されていない場合に上記第１の直流電源を所定の電子装置に供給する一方、供給されている場合に上記第２の直流電源を上記電子装置に供給する構成とされている電源装置を提供する。
【００１６】
また、この発明の好適な形態では、上記交流／直流変換手段は、上記電子装置の要求に対応して所定電圧の第３の直流電源を出力する構成とされ、上記制御手段は、上記電子装置から上記第３の直流電源を供給する要求があったとき、上記スイッチ手段に上記オフ制御信号を与えていた場合は、該オフ制御信号を解除して上記第３の直流電源及び上記第１の直流電源を供給すると共に、上記第２の直流電源の供給を遮断する構成とされている。
【００１７】
また、この発明の好適な形態では、上記電子装置は、待機状態で上記第１の直流電源又は上記第２の直流電源が供給されて待機電力を消費する構成とされている。
【００１８】
また、この発明の好適な形態では、当該電源装置は、複数の上記電子装置からなるシステムの上記各電子装置毎に設けられ、かつ、上記外部電源線を介して相互に接続されている。
【実施形態】
【００１９】
図１は、この発明の一実施形態である電源装置の要部の電気的構成を示すブロック図である。
この形態の電源装置１０は、同図に示すように、スイッチ部１１と、ＡＣ／ＤＣ変換部１２と、制御部１３と、外部電源線１４とから構成されている。スイッチ部１１は、たとえば電磁リレーなどで構成され、非制御時にオン状態となる一方、オフ制御信号ｆｃが与えられたときにオフ状態となる。ＡＣ／ＤＣ変換部１２は、スイッチ部１１がオン状態のとき、商用電源などからＡＣプラグ１０ａを介して得られる交流電源を入力して所定電圧（たとえば、５Ｖ）の直流電源ｄａ（ＤＣ５Ｖ）（第１の直流電源）に変換する。
【００２０】
制御部１３は、同制御部１３全体を制御するコンピュータとしての図示しないＣＰＵ（中央処理装置）及び同ＣＰＵを動作させるための電源供給制御プログラムが記録された図示しないＲＯＭ（Read Only Memory、リード・オンリ・メモリ）を有している。特に、この実施形態では、制御部１３は、ＡＣ／ＤＣ変換部１２から出力される直流電源ｄａ（ＤＣ５Ｖ）が供給されて動作し、同直流電源ｄａ（ＤＣ５Ｖ）が供給され始めてから所定の遅延時間Ｔ１経過後に、同直流電源ｄａ（ＤＣ５Ｖ）と同一電圧の直流電源ｄｂ（ＤＣ５Ｖ）（第２の直流電源）が外部電源線１４を経て供給されているか否かを確認し、供給されていない場合に同直流電源ｄａ（ＤＣ５Ｖ）を同外部電源線１４を経て外部に出力する一方、供給されている場合にスイッチ部１１にオフ制御信号ｆｃを与えてオフ状態とすると共に、直流電源ｄｂ（ＤＣ５Ｖ）が供給されて動作する。また、制御部１３は、直流電源ｄｂ（ＤＣ５Ｖ）が供給されていない場合に直流電源ｄａ（ＤＣ５Ｖ）を直流電源ｄｓ（ＤＣ５Ｖ）として図示しないサーバに供給する一方、供給されている場合に直流電源ｄｂ（ＤＣ５Ｖ）を直流電源ｄｓ（ＤＣ５Ｖ）として同サーバに供給する。
【００２１】
また、上記ＡＣ／ＤＣ変換部１２は、サーバの要求信号ｓｑに対応して所定電圧（たとえば、１２Ｖ）の直流電源ｄｍ（ＤＣ１２Ｖ）（第３の直流電源）を出力する。また、制御部１３は、サーバから要求信号ｓｑが送出されたとき、スイッチ部１１にオフ制御信号ｆｃを与えていた場合は、同オフ制御信号ｆｃを解除して直流電源ｄｍ（ＤＣ１２Ｖ）及び直流電源ｄａ（ＤＣ５Ｖ）を供給すると共に、直流電源ｄｂ（ＤＣ５Ｖ）の供給を遮断する。サーバは、待機状態で直流電源ｄａ（ＤＣ５Ｖ）又は直流電源ｄｂ（ＤＣ５Ｖ）が直流電源ｄｓ（ＤＣ５Ｖ）として供給されて待機電力を消費する。この電源装置１０は、複数のサーバからなるシステム（たとえば、ラックサーバなどのサーバシステム）の各サーバ毎に設けられ、かつ、外部電源線１４を介して相互に接続されている。
【００２２】
図２は、図１の電源装置を有する電源供給システムの要部の電気的構成を示すブロック図である。
この電源供給システムは、同図２に示すように、電源装置１０，２０を有し、これらが外部電源線１４を介して相互に接続されている。電源装置１０，２０は、サーバシステムを構成するサーバ３０，４０にそれぞれ所定の電源を供給する。特に、この実施形態では、電源装置１０の制御部１３は、直流電源ｄａ（ＤＣ５Ｖ）が供給され始めてから遅延時間Ｔ１経過後に、電源装置２０から直流電源ｄｂ（ＤＣ５Ｖ）が外部電源線１４を経て供給されているか否かを確認し、供給されていない場合に直流電源ｄａ（ＤＣ５Ｖ）を外部電源線１４を経て同電源装置２０に出力する一方、供給されている場合にスイッチ部１１にオフ制御信号ｆｃを与えると共に直流電源ｄｂ（ＤＣ５Ｖ）が供給されて動作する。また、制御部１３は、直流電源ｄｂ（ＤＣ５Ｖ）が供給されていない場合に直流電源ｄａ（ＤＣ５Ｖ）を直流電源ｄｓ（ＤＣ５Ｖ）としてサーバ３０に供給する一方、供給されている場合に直流電源ｄｂ（ＤＣ５Ｖ）を直流電源ｄｓ（ＤＣ５Ｖ）として同サーバ３０に供給する。サーバ３０は、待機状態で直流電源ｄａ（ＤＣ５Ｖ）又は直流電源ｄｂ（ＤＣ５Ｖ）が直流電源ｄｓ（ＤＣ５Ｖ）として供給されて待機電力を消費する。
【００２３】
電源装置２０は、スイッチ部２１と、ＡＣ／ＤＣ変換部２２と、制御部２３とから構成されている。スイッチ部２１は、スイッチ部１１と同様に、電磁リレーなどで構成され、非制御時にオン状態となる一方、オフ制御信号ｇｃが与えられたときにオフ状態となる。ＡＣ／ＤＣ変換部２２は、スイッチ部２１がオン状態のとき、商用電源などからＡＣプラグ２０ａを介して得られる交流電源を入力して所定電圧（たとえば、５Ｖ）の直流電源ｄｂ（ＤＣ５Ｖ）に変換する。
【００２４】
制御部２３は、同制御部２３全体を制御するコンピュータとしての図示しないＣＰＵ及び同ＣＰＵを動作させるための電源供給制御プログラムが記録された図示しないＲＯＭを有している。特に、この実施形態では、制御部２３は、ＡＣ／ＤＣ変換部２２から出力される直流電源ｄｂ（ＤＣ５Ｖ）が供給されて動作し、同直流電源ｄｂ（ＤＣ５Ｖ）が供給され始めてから遅延時間Ｔ２（ただし、Ｔ２＞Ｔ１）経過後に、電源装置１０から直流電源ｄａ（ＤＣ５Ｖ）が外部電源線１４を経て供給されているか否かを確認し、供給されていない場合に同直流電源ｄｂ（ＤＣ５Ｖ）を同外部電源線１４を経て同電源装置１０に出力する一方、供給されている場合にスイッチ部２１にオフ制御信号ｇｃを与えてオフ状態とすると共に、直流電源ｄａ（ＤＣ５Ｖ）が供給されて動作する。また、制御部２３は、直流電源ｄａ（ＤＣ５Ｖ）が供給されていない場合に直流電源ｄｂ（ＤＣ５Ｖ）を直流電源ｄｕ（ＤＣ５Ｖ）としてサーバ４０に供給する一方、供給されている場合に直流電源ｄａ（ＤＣ５Ｖ）を直流電源ｄｕ（ＤＣ５Ｖ）として同サーバ４０に供給する。
【００２５】
また、上記ＡＣ／ＤＣ変換部２２は、サーバ４０の要求信号ｓｒに対応して所定電圧（たとえば、１２Ｖ）の直流電源ｄｎ（ＤＣ１２Ｖ）を出力する。また、制御部２３は、サーバ４０から要求信号ｓｒが送出されたとき、スイッチ部２１にオフ制御信号ｇｃを与えていた場合は、同オフ制御信号ｇｃを解除して直流電源ｄｎ（ＤＣ１２Ｖ）及び直流電源ｄｂ（ＤＣ５Ｖ）を供給すると共に、直流電源ｄａ（ＤＣ５Ｖ）の供給を遮断する。サーバ４０は、待機状態で直流電源ｄｂ（ＤＣ５Ｖ）又は直流電源ｄａ（ＤＣ５Ｖ）が直流電源ｄｕ（ＤＣ５Ｖ）として供給されて待機電力を消費する。
【００２６】
図３は、図１の電源装置１０の動作を説明するフローチャートである。
この図を参照して、この形態の電源供給システムに用いられる電源供給方法の処理内容について説明する。
電源装置１０では、図３に示すように、商用電源からＡＣプラグ１０ａ及びオン状態のスイッチ部１１を介して交流電源がＡＣ／ＤＣ変換部１２に入力され、直流電源ｄａ（ＤＣ５Ｖ）が出力される（ステップＡ１）。制御部１３では、直流電源ｄａ（ＤＣ５Ｖ）が供給され始めてから遅延時間Ｔ１経過するまで待機状態となり（ステップＡ２）、この後、直流電源ｄａ（ＤＣ５Ｖ）と同一電圧の直流電源ｄｂが外部電源線１４を経て供給されているか否かを確認する（ステップＡ３）。直流電源ｄｂが供給されている場合（ステップＡ３、“ＹＥＳ”）、制御部１３は、スイッチ部１１にオフ制御信号ｆｃを与えてオフ状態とすると共に、直流電源ｄｂ（ＤＣ５Ｖ）が供給されて動作し、同直流電源ｄｂを直流電源ｄｓとしてサーバに供給する（ステップＡ４，Ａ５）。一方、直流電源ｄｂが供給されていない場合（ステップＡ３、“ＮＯ”）、制御部１３は、直流電源ｄａを外部電源線１４を経て外部に出力すると共に、同直流電源ｄａを直流電源ｄｓとしてサーバに供給する（ステップＡ６）。
【００２７】
図２の電源供給システムでは、ＡＣ／ＤＣ変換部１２，２２から出力される直流電源ｄａ，ｄｂ（ＤＣ５Ｖ）が制御部１３，２３に供給され、同直流電源ｄａ，ｄｂ（ＤＣ５Ｖ）が供給され始めてから遅延時間Ｔ１，Ｔ２経過後に、電源装置２０，１０から直流電源ｄｂ，ｄａ（ＤＣ５Ｖ）が外部電源線１４を経て供給されているか否かが確認され、供給されていない場合に直流電源ｄａ，ｄｂ（ＤＣ５Ｖ）が外部電源線１４を経て電源装置２０，１０に出力される一方、供給されている場合にスイッチ部１１，２１にオフ制御信号ｆｃ，ｇｃが与えられると共に直流電源ｄｂ，ｄａ（ＤＣ５Ｖ）が供給される。また、制御部１３，２３では、直流電源ｄｂ，ｄａ（ＤＣ５Ｖ）が供給されていない場合に直流電源ｄａ，ｄｂ（ＤＣ５Ｖ）が直流電源ｄｓ，ｄｕとしてサーバ３０，４０に供給される一方、供給されている場合に直流電源ｄｂ，ｄａ（ＤＣ５Ｖ）が直流電源ｄｓ，ｄｕとしてサーバ３０，４０に供給される。また、制御部１３，２３に、サーバ３０，４０から直流電源ｄｍ，ｄｎを供給する要求があったとき、スイッチ部１１，２１にオフ制御信号ｆｃ，ｇｃを与えていた場合は、同オフ制御信号ｆｃ，ｇｃが解除されて同直流電源ｄｍ，ｄｎ及び直流電源ｄａ，ｄｂ（ＤＣ５Ｖ）が供給されると共に、直流電源ｄｂ，ｄａ（ＤＣ５Ｖ）の供給が遮断される。
【００２８】
たとえば、２台の電源装置１０，２０に同時に交流電源が供給された場合、スイッチ部１１，２１はオン状態であるため、ＡＣ／ＤＣ変換部１２，２２により、それぞれ制御部１３，２３へ直流電源ｄａ，ｄｂ（ＤＣ５Ｖ）が供給される。この時点では、制御部１３，２３は、外部電源線１４にＤＣ５Ｖを供給していない。遅延時間Ｔ１経過後において、制御部１３により、外部電源線１４に直流電源ｄｂ（ＤＣ５Ｖ）が供給されているか否かが確認される。この時点では、外部電源線１４には、どの電源からもＤＣ５Ｖが供給されていないため、制御部１３により、外部電源線１４に直流電源ｄａ（ＤＣ５Ｖ）の供給が開始される。
【００２９】
また、遅延時間Ｔ２経過後において、制御部２３により、外部電源線１４に直流電源ｄａ（ＤＣ５Ｖ）が供給されているか否かが確認される。この時点では、外部電源線１４には、電源装置１０の制御部１３から直流電源ｄａ（ＤＣ５Ｖ）が供給されているため、制御部２３により、サーバ４０へ供給する直流電源ｄｕ（ＤＣ５Ｖ）の電源供給が外部の直流電源ｄａ（ＤＣ５Ｖ）に切り替えられると共に、スイッチ部２１がオフ状態とされる。これにより、遅延時間Ｔ２経過後において、サーバ３０，４０に対する直流電源ｄｓ，ｄｕ（ＤＣ５Ｖ）の供給が電源装置１０により行われる一方、電源装置２０が停止状態となる。
【００３０】
この後、たとえば電源装置１０が故障し、制御部１３から直流電源ｄａ（ＤＣ５Ｖ）が供給されなくなった場合、この時点では、スイッチ部２１がオフ状態になっているため、制御部２３には、ＡＣ／ＤＣ変換部２２から直流電源ｄｂ（ＤＣ５Ｖ）が供給されていない。すなわち、制御部２３には電源が供給されていない。この場合、スイッチ部２１は、非制御状態に戻ってオン状態となる。スイッチ部２１がオン状態になると、ＡＣ／ＤＣ変換部２２から直流電源ｄｂ（ＤＣ５Ｖ）が制御部２３へ供給される。これにより、サーバ３０，４０に対する直流電源ｄｓ，ｄｕ（ＤＣ５Ｖ）の供給が電源装置１０により行われ、電源装置２０が停止状態となっている状態において、電源装置１０が故障した場合、自動的に電源装置２０が稼働状態となり、サーバ４０へ対しては直流電源ｄｕ（ＤＣ５Ｖ）が継続して供給される。
【００３１】
以上のように、この実施形態では、サーバ３０，４０に対する直流電源ｄｓ，ｄｕ（ＤＣ５Ｖ）の供給が電源装置１０により行われ、同サーバ３０，４０の待機電力が１台の電源装置１０で供給されるので、効率の低い低負荷が回避されて電源の効率が改善され、待機時の電力の損失が低減される。また、電源装置１０，２０間で通信などが不要であるため、同電源装置１０，２０は比較的簡単な構成で良い。また、サーバ３０，４０側に依存しない、すなわち、電源装置１０，２０のみに閉じた構成で良いため、既存のシステムに適用が可能である。
【００３２】
以上、この発明の実施形態を図面により詳述してきたが、具体的な構成は同実施形態に限られるものではなく、この発明の要旨を逸脱しない範囲の設計の変更などがあっても、この発明に含まれる。
たとえば、図２の電源供給システムでは、サーバ３０，４０に対応する２つの電源装置１０，２０が設けられているが、３つ以上のサーバに対して電源装置を１対１に設けても良い。この場合、各電源装置は、外部電源線を介して相互に接続され、また、遅延時間は、同各電源装置毎に異なる時間に設定されている必要がある。また、電源装置１０，２０は、サーバ３０，４０の外部に限らず、内部に設けられていても良い。
【産業上の利用可能性】
【００３３】
この発明は、サーバなどのような待機電力を消費する電子装置が複数設けられているシステムに対して、各電子装置毎に電源を供給する電源装置全般に適用でき、特に、各電子装置の待機電力を低減させる場合に有効である。
【符号の説明】
【００３４】
１０，２０      電源装置（電源供給システムの一部）
１１，２１      スイッチ部（スイッチ手段、電源装置の一部）
１２，２２      ＡＣ／ＤＣ変換部（交流／直流変換手段、電源装置の一部）
１３，２３      制御部（制御手段、電源装置の一部）
１４      外部電源線（電源装置の一部、電源供給システムの一部）
３０，４０      サーバ（電子装置）
【図１】
2010176390.tif 000003
【図２】
2010176390.tif 000004
【図３】
2010176390.tif 000005
【図４】
2010176390.tif 000006